(57)【要約】【課題】容器内に残った内容物を完全に使い切ることができるとともに、簡単な構成で安価にかつ安定した作動で、倒立状態でも使用することができる噴出器を提供する。【解決手段】使用時に、押下釦３０が押し下げられてステム２１が押し込まれることにより、容器１０内の化粧液等の内容物が吸上げ管１３で吸い上げられてステム２１を通して押下釦の噴口３４から外部に向けて噴射される。そのような噴出器において、容器内の底部に、容器内の内容物が浸透保持される内容物保持部材４０が配置され、その内容物保持部材で保持する内容物を吸上げ可能に内容物保持部材に吸上げ管１３の先端が挿入される。内容物保持部材としては、スポンジ等の多孔質材料や、バフ等のその他の吸水性材料などが用いられる。一材料に限らず、複数材料を用いて形成されるものであってもよい。ネット状の部材で被ったり、ケース内に収納したりして設けてもよい。【選択図】図１
2008184199.tif 000002
【特許請求の範囲】
【請求項１】
使用時に、操作部材が操作されてステムが押し込まれることにより、その容器内の内容物が吸上げ管で吸い上げられて前記ステムを通して噴口から外部に向けて噴射される噴出器において、
前記容器内の底部に、その容器内の内容物が浸透保持される内容物保持部材が配置され、その内容物保持部材で保持する内容物を吸上げ可能に前記内容物保持部材に前記吸上げ管の先端が接触されていることを特徴とする、噴出器。
【請求項２】
前記内容物保持部材が、前記容器内の底部いっぱいの大きさとされていることを特徴とする、請求項１に記載の噴出器。
【請求項３】
前記内容物保持部材が、前記容器内の底部に貼り付けて設けられていることを特徴とする、請求項１に記載の噴出器。
【請求項４】
前記内容物保持部材が、前記吸上げ管の先端で支持して設けられていることを特徴とする、請求項１に記載の噴出器。
【発明の詳細な説明】
【技術分野】
【０００１】
この発明は、使用時に、押下釦やトリガーレバーなどの操作部材が操作されてステムが押し込まれることにより、容器内の化粧液・薬液等の内容物が吸上げ管で吸い上げられてステムを通して例えば押下釦の噴口から外部に向けて噴射される、化粧用・薬用等の特にポンプ式の噴出器に関する。
【背景技術】
【０００２】
従来、この種の噴出器では、化粧液等の内容物が収容される容器の口部にポンプ式やエアゾール式の噴出装置が取り付けられる。そして、その噴出装置の、押下釦やトリガーレバーなどの操作部材が操作されることにより、ステムが押し込まれて容器の内容物が吸い上げられ、ステムを通して例えば押下釦の噴口から外部に向けて噴射されるようになっている。
【０００３】
このような噴出器にあっては、容器の内容物を最後まできれいに噴射することができるように、噴出装置から吸上げ管をのばして先端が容器の底部にまで達するようにし、容器の内容物が吸上げ管を通して最後まで吸い上げられるようにされていた。
【０００４】
また、この種の噴出器の中には、例えば特許文献１に記載されるように、可撓性を有する吸上げ管の先端に重りが付けられ、容器を倒立して使用する場合には吸上げ管がたわんで重りが重力にしたがい噴出装置側に移動し、正立状態だけでなく容器を逆さにして使用することができるようにされたものがある。
【０００５】
他方、ポンプ式の噴出器の場合、例えば特許文献２に記載されるように、正立使用時には吸上げ管から下方の第１開口を通して、倒立使用時には逆に下方となる第２開口を通して容器から内容物を吸い上げ、その内容物をシリンダ内に流入してステムを通して例えば押下釦の噴口から外部に向けて噴射されるようになっており、正立使用時には、第２開口を通してシリンダ内に空気が流入することを第２逆止弁で防止し、倒立使用時には、吸上げ管から第１開口を通してシリンダ内に空気が流入することを第１逆止弁で防止するようにされていた。
【０００６】
【特許文献１】特開２０００−１３５４５６号公報
【特許文献２】特開２００５−２８８２１０号公報
【発明の開示】
【発明が解決しようとする課題】
【０００７】
ところが、上述したような従来の噴出器では、吸上げ管の先端が位置する近辺では、内容物を残らず吸い上げることができるが、先端から離れた位置では内容物を完全に最後まで吸い上げることができない課題があった。また、特許文献１に記載されるような噴出器では、吸上げ管の全部または一部を蛇腹で構成したり、重りを設けてその抜け止めをしたりしなければならず、構成が複雑となってコスト高となるとともに、作動の確実性に欠ける課題があった。他方、特許文献２に記載されるような噴出器でも、それぞれ逆止弁を有する開口を２つずつ設けなければならないから、同様に構成が複雑となってコスト高となる課題があった。
【０００８】
そこで、この発明の目的は、容器内に最後まで残った内容物を完全に使い切ることができるとともに、簡単な構成で安価にかつ安定した作動で、倒立状態でも使用することができる噴出器を提供することにある。
【課題を解決するための手段】
【０００９】
そのため、この発明は、使用時に、押下釦やトリガーレバーなどの操作部材が操作されてステムが押し込まれることにより、容器内の化粧液等の内容物が吸上げ管で吸い上げられてステムを通して例えば押下釦の噴口から外部に向けて噴射される、化粧用・薬用等の噴出器において、
容器内の底部に、容器内の内容物が浸透保持される内容物保持部材が配置され、その内容物保持部材で保持する内容物を吸上げ可能に内容物保持部材に吸上げ管の先端が挿入されるなどして接触されていることを特徴とする。内容物保持部材としては、スポンジ等の多孔質材料や、バフ等のその他の吸水性材料などが用いられる。一材料に限らず、複数材料を用いて形成されるものであってもよく、ネット状の部材で被ったり、ケース内に収納したりして設けてもよい。
【００１０】
内容物保持部材は、容器内の底部に残った内容物を吸引することができるように底部いっぱいの大きさとされて、底部に貼り付けて設けられたり、吸上げ管の先端で支持して設けられたりするとよい。
【００１１】
そして、容器の内容物が内容物保持部材に浸透保持されるようにし、正立使用時には、押下釦やトリガーレバーなどの操作部材が操作されてステムが押し込まれることにより、内容物保持部材に浸透保持されている容器内の化粧液等の内容物が吸上げ管で吸い上げられ、ステムを通して例えば押下釦の噴口から外部に向けて噴射されるようにする。倒立使用時には、内容物保持部材で保持した状態で残った内容物が吸上げ管で吸い上げられ、ステムを通して外部に向けて噴射される。内容物保持部材で保持する内容物がなくなったときには、正立状態に戻して内容物を内容物保持部材に浸透して後、再び倒立状態として内容物保持部材内の内容物が吸上げ管で吸い上げられて噴射されるようにする。
【発明の効果】
【００１２】
したがって、この発明によれば、最後まで残った内容物が内容物保持部材に浸透保持されるので、容器内における吸上げ管の先端位置に関係なく、その内容物保持部材で保持する内容物を吸上げ管で吸い上げて残りの内容物を完全に使い切ることができる。また、倒立状態としたときには、内容物保持部材内に残った内容物が吸上げ管で吸い上げられ、ステムを通して外部に向けて噴射されるので、容器内の底部に内容物保持部材が配置されてその内容物保持部材内の内容物を吸上げ可能に吸上げ管を設けるだけのきわめて簡単な構成で安価に、かつ動く部分がないので安定した作動で、倒立状態でも使用可能とすることができる。もちろん、正立状態や倒立状態に限らず、噴出器を斜めや真横に保持した状態でも、内容物保持部材内に残った内容物が吸上げ管で吸い上げられ、ステムを通して外部に向けて噴射されるので、同様に使用可能とすることができる。
【００１３】
内容物保持部材が、容器内の底部いっぱいの大きさとされると、内容物を底部周囲に残すことなく、完全に使い切ることができる。また、内容物保持部材が容器の底部に接着等で貼り付けて設けられたり、吸上げ管の先端で支持して設けられたりすると、内容物保持部材が容器の底部に確実に保持されることとなる。
【発明を実施するための最良の形態】
【００１４】
以下、図面を参照しつつ、この発明の実施の最良形態につき説明する。
図１には、この発明による往復ポンプ式噴出器を、左半分を縦断面にして示す。
【００１５】
図中符号１０は、容器である。容器１０は、プラスチック材料でボトル形状につくられており、その口部１０ａ外周に雄ネジが設けられて、図示省略するが、この例では、内部に、内容物として化粧液を収納されている。
その容器１０の口部１０ａには、ポンプ式噴出装置Ｐが、後述するごとく取り付けられている。
【００１６】
図２には、口部１０ａに取り付けられたポンプ式噴出装置Ｐの部分を拡大して示す。
図示するように、ポンプ式噴出装置Ｐには、シリンダ１２が備えられている。シリンダ１２は、下部の小径部１２ａと、真ん中の中径部１２ｂと、上部の大径部１２ｃとからなる。
【００１７】
小径部１２ａ内には、パイプ状の吸上げ管１３の基端部が圧入されている。小径部１２ａ内と中径部１２ｂ内とは、開口１４で連通されている。そして、中径部１２ｂ内には、圧縮コイルスプリング１５が挿入されて後、その圧縮コイルスプリング１５上に載せてピストン１６の下部が挿入される。ここで、ピストン１６と中径部１２ｂ内周面との間は、液密に保持されている。
【００１８】
ピストン１６には、下方から途中まで軸穴１７が形成されており、その軸穴の奥から径方向に１または複数の連通孔１８があけられている。そして、ピストン１６の外周には、連通孔１８を塞ぐように弾性材料よりなる開閉弁２０が開閉自在に取り付けられている。そのようなピストン１６の上部は、ステム２１の中心孔１９に挿入される。ステム２１は、下部がシリンダ１２の大径部１２ｃ内に液密に挿入されている。
【００１９】
そして、ステム２１の先端がねじキャップ２２の頂部中心孔２３に挿入され、シリンダ１２の大径部１２ｃにねじキャップ２２が被せられて、シリンダ１２の中径部１２ｂと大径部１２ｃとの間の外周に形成されるフランジ１２ｄ上にそれに抱きつくように載せられる。すると、ピストン１６の外周傾斜面２５にステム２１の内周段部２６が押し当てられて圧縮コイルスプリング１５がたわんで、ピストン１６およびステム２１がシリンダ１２内に押し込まれ、頂部中心孔２３の孔縁とステム２１の外周段部２４との間でパッキン２７が挟持されて、それらの間が密閉される。
【００２０】
そして、頂部中心孔２３から突出するステム２１の先端部が押下釦３０の中心穴３１に圧入されてステム２１の先端部に押下釦３０が取り付けられ、ポンプ式噴出装置Ｐが形成されている。押下釦３０には、中心穴３１と連通して径方向に噴出路３２が形成されており、外周から噴射キャップ３３が取り付けられている。噴射キャップ３３には、噴口３４が形成されている。
【００２１】
上述のようにして形成したポンプ式噴出装置Ｐは、吸上げ管１３を容器１０内に入れて先端を容器１０の底部に向けてのばし、ねじキャップ２２が口部１０ａに被せられてその内周面に形成する雌ねじが口部１０ａの外周に形成されている雄ねじにねじ付けられることにより、シリンダ１２のフランジ１２ｄと口部１０ａとの間でパッキン３５を圧縮して口部１０ａに取り付けられている。
【００２２】
ところで、図１に示すように、容器１０の底部には、容器１０内の化粧液が浸透保持される内容物保持部材４０が配置される。例えば、内容物保持部材４０は、圧縮して口部１０ａから挿入したり、二体で構成する容器１０を分割して挿入したりして、容器１０内に配置可能とされる。そして、その容器１０の底部に配置される内容物保持部材４０に挿入するなどして吸上げ管１３の先端が接触されることにより、その内容物保持部材４０内の化粧液が吸上げ管１３で吸上げ可能とされている。
【００２３】
内容物保持部材４０としては、化粧液を浸透して保持することができるスポンジ等の多孔質材料や、バフ等のその他の吸水性材料などが用いられる。一材料で形成されるものであってもよいが、複数材料を用いて形成されるものであってもよい。化粧液の浸透を妨げなければ、まわりをネット状の部材で被ったり、またケース内に収納したりして設けてもよい。
【００２４】
そして、容器１０の化粧液が内容物保持部材４０に浸透保持されるようにし、正立使用時には、図３に示すように、押下釦３０に手を掛けて押下釦３０が押し下げ操作されると、ステム２１が押し込まれることにより、圧縮コイルスプリング１５に抗してピストン１６もともにシリンダ１２内に押し込まれ、次第に圧力室Ａの圧力が上昇し、やがてその圧力の上昇によりピストン１６が押し込まれて外周傾斜面２５がステム２１の内周段部２６から引き離され、圧力室Ａ内の化粧液がステム２１の中心孔１９から押下釦３０の中心穴３１を通して噴出路３２に導かれ、噴射キャップ３３の噴口３４から外部に向けて噴射される。
【００２５】
噴射後、押下釦３０から手を離すと、圧縮コイルスプリング１５の付勢力でピストン１６が押し上げられ、外周傾斜面２５がステム２１の内周段部２６に押し当てられてステム２１もともに押し上げられる。すると、圧力室Ａ内の圧力が低下して開閉弁２０が弾性変形して開き、内容物保持部材４０に浸透保持されている容器１０内の化粧液が吸上げ管１３で吸い上げられ、開口１４からシリンダ１２の中径部１２ｂの内に入り、ピストン１６の軸穴１７から連通孔１８を通して圧力室Ａに導かれ、圧力室Ａが化粧液で満たされたところで連通孔１８が開閉弁２０により塞がれる。
【００２６】
そして、次の押下釦３０の押し下げ操作により、圧力室Ａの化粧液が再びステム２１を通して押下釦３０の噴口３４から噴射される。
【００２７】
倒立使用時には、化粧液が容器１０内で噴出装置Ｐ側に移動するものの、内容物保持部材４０で保持した状態で残った化粧液が吸上げ管１３で吸い上げられ、ステム２１を通して外部に向けて噴射される。内容物保持部材４０で保持する化粧液がなくなったときには、正立状態に戻して化粧液を内容物保持部材４０に浸透して後、再び倒立状態として内容物保持部材４０に残った化粧液が吸上げ管１３で吸い上げられて噴射される。
【００２８】
最後まで残った化粧液が内容物保持部材４０に浸透して保持されるので、容器内における吸上げ管１３の先端位置に関係なく、その内容物保持部材４０で保持する化粧液を吸上げ管１３で吸い上げて化粧液を残すことなく完全に最後まで使い切ることができる。また、倒立状態としたときには、内容物保持部材４０内に残った化粧液が吸上げ管１３で吸い上げられ、ステム２１を通して外部に向けて噴射されるので、容器１０内の底部に内容物保持部材４０が配置されてその内容物保持部材４０内の化粧液を吸上げ可能に吸上げ管１３を設けるだけのきわめて簡単な構成で安価に、しかも動く部分がないから安定した作動で、倒立状態でも使用可能とすることができる。もちろん、正立状態や倒立状態に限らず、噴出器を斜めや真横に保持した状態でも、内容物保持部材４０内に残った化粧液が吸上げ管１３で吸い上げられ、ステム２１を通して外部に向けて噴射されるので、同様に使用可能とすることができる。すなわち、噴出器の保持姿勢に気を使うことなく、正立・倒立・斜め・真横などのいかなる姿勢においても、噴出器からの噴射を可能とすることができる。
【００２９】
内容物保持部材４０は、容器１０内の底部いっぱいの大きさとされると、化粧液を底部周囲に残すことなく、完全に使い切ることができる。また、内容物保持部材４０が容器１０の底部に接着などにより貼り付けて設けられたり、吸上げ管１３の先端で支持して設けられたりすると、内容物保持部材４０が容器１０の底部に動くことなく確実に保持されることとなる。
【図面の簡単な説明】
【００３０】
【図１】左半分を縦断面にして示す、この発明による往復ポンプ式噴出器の正面図である。
【図２】図１に示す噴出器のポンプ式噴出装置部分の拡大図である。
【図３】そのポンプ式噴出装置の押下釦を押し込んだ状態の同拡大図である。
【符号の説明】
【００３１】
１０    容器
１０ａ  口部
１３    吸上げ管
２１    ステム
３０    押下釦（操作部材）
３４    噴口
４０    内容物保持部材
【図１】
2008184199.tif 000003
【図２】
2008184199.tif 000004
【図３】
2008184199.tif 000005